(57)【要約】【課題】関連する複数のタスクを並行してコンピュータ上で管理することを可能にするシステムを提供する。【解決手段】各タスクが四つ以上の時間順に配列したプロセスからなり、それぞれのプロセスについてプロセス情報を有し、互いに関連付けられた複数のタスク情報を読み書き可能に保存するタスク情報保存部１２と、既存タスク情報の表示指示、新規タスク情報の作成指示、タスク情報同士の関連付け情報及びプロセス情報をユーザが入力するための入力部１５と、ユーザの入力に基づき、該当する既存タスク情報を前記タスク情報保存部から抽出し、タスク情報同士を関連付け、又はタスク情報を更新するタスク情報管理部１４と、ユーザの入力に基づき、新規タスク情報を生成するタスク情報生成部１６と、前記タスク情報管理部にて抽出され又はタスク情報生成部にて生成されたタスク情報をタスク情報同士の関連付け情報とともに表示する表示部１７とを備える。【選択図】図１
2009181164.tif 000002
【特許請求の範囲】
【請求項１】
タスクの管理を行うためのタスク管理システムであって、
各タスクが四つ以上の時間順に配列したプロセスからなり、それぞれのプロセスについてプロセス情報を有し、互いに関連付けられた複数のタスク情報を読み書き可能に保存するタスク情報保存部と、
既存タスク情報の表示指示、新規タスク情報の作成指示、タスク情報同士の関連付け情報及びプロセス情報をユーザが入力するための入力部と、
ユーザの入力に基づき、該当する既存タスク情報を前記タスク情報保存部から抽出し、タスク情報同士を関連付け、又はタスク情報を更新するタスク情報管理部と、
ユーザの入力に基づき、新規タスク情報を生成するタスク情報生成部と、
前記タスク情報管理部にて抽出され又はタスク情報生成部にて生成されたタスク情報をタスク情報同士の関連付け情報とともに表示する表示部と
を備えることを特徴とするタスク管理システム。
【請求項２】
前記タスク情報同士は、一つのタスク情報が関連する他のタスク情報のタグを含むことによって関連付けされている請求項１に記載のシステム。
【請求項３】
前記タスク情報同士は、タスク情報のＩＤを互いに関連付けて格納したタスク関連付けデータベースによって関連付けられている請求項１に記載のシステム。
【請求項４】
前記表示部は、プロセスが入力されたプロセス情報と未入力のプロセス情報とが異なる色又は形態となるように前記タスク情報を表示する請求項１に記載のシステム。
【請求項５】
前記表示部は、各タスクにおける前記四つ以上のプロセス情報が環状に配列するように前記タスク情報を表示する請求項１に記載のシステム。
【請求項６】
前記タスク情報管理部は、互いに関連するタスク情報をツリー状に階層化して管理する請求項１に記載のシステム。
【請求項７】
前記表示部は、互いに関連するタスク情報をツリー状に表示する請求項６に記載のシステム。
【請求項８】
前記ツリーは、その各節点に各タスク情報にリンクしたアイコンを有するものであり、そのアイコンを指定することにより、前記表示部が各タスク情報の詳細を個別に表示する請求項７に記載のシステム。
【請求項９】
前記入力部は更に、タスクの完了指示を入力することが可能であり、新規タスク情報があるタスク情報の下位に関連付けられるべき派生タスク情報であるとき、前記タスク情報生成部は元のタスク情報の完了指示が入力されるまで派生タスク情報の作成指示を制限する請求項６に記載のシステム。
【請求項１０】
前記入力部は、前記プロセス情報をテキスト形式で入力可能である請求項１に記載のシステム。
【請求項１１】
前記入力部は、各プロセスの完了を指示するプロセス完了指示をプロセス情報の一部として入力することが可能であって、前記プロセス完了指示が入力されるまで、次のプロセスに対してのテキスト形式の入力を制限するプロセス管理部
を更に備える請求項１０に記載のシステム。
【発明の詳細な説明】
【技術分野】
【０００１】
この発明は、コンピュータを利用してタスクを適切に管理するためのタスク管理システムに関する。
【背景技術】
【０００２】
タスクを管理する手法として「ＰＤＣＡサイクル」が知られている（非特許文献１）。これは、Ｐｌａｎ（計画）、Ｄｏ（実施・実行）、Ｃｈｅｃｋ（点検・評価）、Ａｃｔ（処置・改善）の四段階を順次行って一周したら、最後のＡｃｔを次のＰＤＣＡサイクルにつなげ、継続的な業務改善をしてゆくものである。
また、基本概念を中心とし、そこから派生したキーワードや下位概念を放射状に描くマインドマップと称する手法を一つのタスクの管理にコンピュータ上で適用したツールも知られている（非特許文献２）。
【非特許文献１】http://ja.wikipedia.org/wiki/PDCAサイクル［平成１９年１２月１８日検索］
【非特許文献２】http://www.popxpop.com/archives/2007/03/mindomo.html［平成１９年１２月１８日検索］
【発明の開示】
【発明が解決しようとする課題】
【０００３】
しかし、部品点数の多い自動車、家電製品、あるいは高機能のコンピュータソフトの開発などのように多数のタスクが関連している場合、各部署が個別にＰＤＣＡサイクルを採用していても効率的に業務改善を図ることができない。また、非特許文献２に記載のツールにしても比較的単純な一つのタスクを詳細に管理できるに過ぎない。
それ故、この発明の課題は、関連する複数のタスクを並行してコンピュータ上で管理することを可能にするシステムを提供することにある。
【課題を解決するための手段】
【０００４】
その課題を解決するために、この発明のタスク管理システムは、
各タスクが四つ以上の時間順に配列したプロセスからなり、それぞれのプロセスについてプロセス情報を有し、互いに関連付けられた複数のタスク情報を読み書き可能に保存するタスク情報保存部と、
既存タスク情報の表示指示、新規タスク情報の作成指示、タスク情報同士の関連付け情報及びプロセス情報をユーザが入力するための入力部と、
ユーザの入力に基づき、該当する既存タスク情報を前記タスク情報保存部から抽出し、タスク情報同士を関連付け、又はタスク情報を更新するタスク情報管理部と、
ユーザの入力に基づき、新規タスク情報を生成するタスク情報生成部と、
前記タスク情報管理部にて抽出され又はタスク情報生成部にて生成されたタスク情報をタスク情報同士の関連付け情報とともに表示する表示部と
を備えることを特徴とする。
【０００５】
このシステムによれば、各タスク情報が時間順に配列したプロセス情報を有し、しかも互いに関連する複数のタスク情報がタスク情報同士の関連付け情報とともに表示されるので、複数のタスクからなる事業を総合的に管理することができる。
前記表示部は、プロセスが入力されたプロセス情報と未入力のプロセス情報とが異なる色又は形態となるように前記タスク情報を表示するものが好ましい。各タスクの進行状況が一目瞭然となるからである。
また、前記表示部は、各タスクにおける前記四つ以上のプロセス情報が環状に配列するように前記タスク情報を表示するものが好ましい。表示面積が少なくて見やすいからである。
【０００６】
更にこのシステムにおいて、前記タスク情報管理部が互いに関連するタスク情報をツリー状に階層化して管理し、前記表示部が互いに関連するタスク情報をツリー状に表示する構成が好ましい。タスク情報同士の関連を体系的に把握することができるからである。
そして、ツリーが、その各節点に各タスク情報にリンクしたアイコンを有するものであり、そのアイコンを指定することにより、前記表示部が各タスク情報の詳細を個別に表示するものであるときは、タスク情報同士の関連付け情報と個別のタスク情報とが容易に切り替えて表示されるので、好ましい。
【０００７】
前記入力部は更に、タスクの完了指示を入力することが可能であり、新規タスク情報があるタスク情報の下位に関連付けられるべき派生タスク情報であるとき、前記タスク情報生成部は元のタスク情報の完了指示が入力されるまで派生タスク情報の作成指示を制限するものであってもよい。
また入力部は、前記プロセス情報をテキスト形式で入力可能であるとよい。そして入力部は、各プロセスの完了を指示するプロセス完了指示をプロセス情報の一部として入力することが可能であるとき、このシステムは前記プロセス完了指示が入力されるまで、次のプロセスに対してのテキスト形式の入力を制限するプロセス管理部を更に備えていてもよい。
【発明の効果】
【０００８】
複数のタスクの関連を俯瞰しながら、個別のタスクの進捗状況を把握することができるので、事業を効率よく管理することができる。
【発明を実施するための最良の形態】
【０００９】
この発明の実施形態に係るシステムを図面を参照しながら説明する。図１は実施形態に係るタスク管理システムで管理される新車開発プロジェクトにおける複数のタスク情報を示すツリー図である。このプロジェクトは「構想及び企画」を初めとし、「基本設計」、「ネーミング」などの複数のタスクが実行されて新しい自動車を生み出そうとするもので、各タスク情報には「構想及び企画」タスクであればａ、「基本設計」タスクであればｂといった具合に個別にタスクＩＤが付与されている。そして、各タスク情報はＰ（計画）、Ｄ（実施・実行）、Ｃ（点検・評価）及びＡ（処置・改善）の四つの時間順に配列したプロセス情報を有する。
【００１０】
タスク情報同士は、図２（ａ）に示すように各タスク情報（図示はタスク情報ｂ）が関連する他のタスク情報（同ａ、ｂ、ｃ）のタグを含むことによって、あるいは図２（ｂ）に示すように各タスク情報のＩＤを互いに関連付けて格納したタスク関連付けデータベース１３によって関連付けされている。即ち、図２（ａ）はタスク情報ｂの上位にタスク情報ａが連なり、下位にタスク情報ｄ、ｅが連なっていることを示す。また、図２（ｂ）はタスク情報ａの下位にタスク情報ｂ、ｃ、タスク情報ｂの下位にタスク情報ｄ、ｅが連なっていることを示す。
【００１１】
図３は前記タスク管理システムの構成図である。システム１では、サーバ２と複数の端末３Ａ、３Ｂ、３Ｃとがインターネット、ＬＡＮなどのネットワークを介して相互にデータ通信可能に接続されている。端末３Ａ、３Ｂ、３Ｃは、いずれもＬＣＤやＣＲＴなどからなる表示装置、キーボードやマウスからなる入力装置を備えるコンピュータである。サーバ２の記憶装置１０内にはタスク管理プログラム１１、前記タスク情報を読み書き可能に保存するタスク情報保存部１２及び場合により前記のタスク関連付けデータベース１３が格納されている。サーバ２は、更にそのＣＰＵがタスク管理プログラム１１を実行することによってソフトウェア的に実現されるタスク情報管理部１４、入力部１５、タスク情報生成部１６、表示部１７及びプロセス管理部１８を備えている。
【００１２】
入力部１５は、既存タスク情報の表示指示、新規タスク情報の作成指示、タスク情報同士の関連付け情報及びプロセス情報をユーザが入力するためのもので、前記各端末における入力装置を通じて入力される信号をサーバ２のＣＰＵに送り又は規制する。タスク情報管理部１４は、端末３Ａ、３Ｂ、３Ｃを利用するいずれかのユーザの入力に基づき、該当する既存タスク情報をタスク情報保存部１２から抽出し、タスク情報同士を関連付け、又はタスク情報を更新する。タスク情報生成部１６は、いずれかのユーザの入力に基づき、新規タスク情報を生成する。表示部１７は、タスク情報管理部１４にて抽出され又はタスク情報生成部１６にて生成されたタスク情報をタスク情報同士の関連付け情報とともに前記各端末における表示装置上で表示する。図４は、その表示内容の一例を示す。
【００１３】
図示の表示内容では、一つのウィンドウが二つの枠に区切られて、左側の枠５にＰＤＣＡ一覧と称して各タスク情報の項目に対応するアイコン５１ａ、５１ｂ・・・が一覧表示されており、右側の枠４に一つのタスク情報の詳細が表示されている。枠５に表示されたアイコンのいずれか例えば図示の如く「ｂ．基本設計」をクリックすると、それに対応するタスク情報即ち「基本設計」のタスク情報ｂの詳細が枠４に表示される。そして、各タスク情報は、ＰＤＣＡの順に環状に配列した四つのプロセス情報を含み、画面には各プロセスのコメントをテキスト形式で入力するコメント入力欄４１、４２、４３、４４が設けられている。そして、コメントが入力されたプロセス情報の入力欄４１は、未入力の入力欄４２、４３、４４と異なる色で表示されている。尚、色違い表示に変えて例えば入力済み欄にのみ星印を欄の隅に付けるなど形態を異ならせても良い。
【００１４】
枠５にはアイコン５１群の上方に互いに関連するタスク情報のツリー表示を指定するアイコン５２が設けられており、このアイコン５２をクリックすると複数のタスク情報が図１の如くツリー状に別ウィンドウにて表示される。尚、アイコン５１群と入れ替えて枠５内にツリーを表示するようにしても良い。
前記ツリーは、その各節点に各タスク情報にリンクしたアイコン５３ａ、５３ｂ・・・を有するものであり、いずれかのアイコンをクリックすることにより、対応するタスク情報の詳細が別ウインドウにてあるいはツリーに代わって表示される。また、別ウインドウを立ち上げることなく枠４が前面に出るようにしてもよい。
【００１５】
枠４には更に、左上の隅にツリー上で上位となるタスク情報のＩＤを入力する関連タスク情報入力欄４５、右下に同じく下位となるタスク情報のＩＤを表示する関連タスク情報表示欄４６、及び右上に完了ボタン４７が設けられている。入力欄４５に関連するタスク情報のＩＤを入力すると、タスク関連付けデータベース１３が更新されるとともに、タスク情報管理部１４がツリー上の対応する節点に新たなアイコンを追加するなどしてツリーを更新する。即ち、タスク情報ｂは、入力欄４５に「ａ」と入力して初めてタスク情報ａと関連付けられ、アイコン５３ａの下にアイコン５３ｂが追加される。同時にタスク情報ａの詳細画面における表示欄４６に「ｂ」が表示される。
【００１６】
完了ボタン４７は、これを押すことにより当該タスクが完了したことがタスク情報生成部１６に伝えられ、タスク情報生成部１６は下位に関連付けられる派生タスク情報の生成を可能とする。例えばタスク情報ａの詳細画面で完了ボタン４７が押されていないときは、タスク情報ｂの詳細画面における入力欄４５に「ａ」を入力できず、タスク情報ｂはタスク情報ａとは独立した存在であり続ける。
コメント入力欄４１、４２、４３、４４にも完了ボタン４８が設けられており、これを押すことにより当該プロセスが完了したことがプロセス管理部１８に伝えられ、プロセス管理部１８は次のプロセスに対してのテキスト形式の入力を可能とする。
【００１７】
このシステムによれば、あるタスク（子タスク）がどのタスク（親タスク）から派生しているかというタスク同士の関連を俯瞰しながら、個別のタスクの進捗状況を把握することができる。このため、タスク間で進捗状況が著しく相違するためにプロジェクト全体の進行が遅れているような場合、速やかに人員配置や設備投資の変更をし、プロジェクトを効率よく進めることができる。
【００１８】
尚、前記実施形態はサーバと端末とがネットワークを介して接続された構成にこの発明のシステムをインストールしたものであるが、この発明のシステムは一台のコンピュータ上で実現することも可能である。
【図面の簡単な説明】
【００１９】
【図１】実施形態に係るタスク管理システムで管理される新車開発プロジェクトにおける複数のタスク情報を示すツリー図である。
【図２】タスク情報同士の関連付け手段の例を示す図である。
【図３】実施形態に係るタスク管理システムの構成を示す模式図である。
【図４】実施形態に係るタスク管理システムにおける一端末の表示装置上の画面を示す図である。
【符号の説明】
【００２０】
１  タスク管理システム
２  サーバ
３Ａ、３Ｂ、３Ｃ  端末
４、５  枠
１０  記憶装置
１１  タスク管理プログラム
１２  タスク情報保存部
１３  タスク関連付けデータベース
１４  タスク情報管理部
１５  入力部
１６  タスク情報生成部
１７  表示部
１８  プロセス管理部
【図１】
2009181164.tif 000003
【図２】
2009181164.tif 000004
【図３】
2009181164.tif 000005
【図４】
2009181164.tif 000006